【手続補正書】
【提出日】令和1年12月11日(2019.12.11)
【手続補正１】
【補正対象書類名】明細書
【補正対象項目名】発明の名称
【補正方法】変更
【補正の内容】
【発明の名称】ＥＴＣ路側装置、ＥＴＣリカバリシステム、ＥＴＣリカバリ方法およびＥＴＣリカバリプログラム
【手続補正２】
【補正対象書類名】特許請求の範囲
【補正対象項目名】全文
【補正方法】変更
【補正の内容】
【特許請求の範囲】
【請求項１】
車載装置及び管理装置と通信を行う通信部と、
前記車載装置から受信する車両識別情報を前記通信部により前記管理装置に送信し、
前記車両識別情報に対応した入口料金所に関する入口情報を含むリカバリ情報を前記通信部により前記管理装置から受信すると、前記リカバリ情報を前記通信部により前記車載装置に送信する制御部と、を備えることを特徴とするＥＴＣ路側装置。
【請求項２】
車載装置、管理装置および撮像装置と通信を行う通信部と、
前記撮像装置が撮像した車両の車両番号に基づく車両識別情報を前記通信部により前記管理装置に送信し、
前記車両識別情報に対応した入口料金所に関する入口情報を含むリカバリ情報を前記通信部により前記管理装置から受信すると、前記リカバリ情報を前記通信部により前記車載装置に送信する制御部と、を備えることを特徴とするＥＴＣ路側装置。
【請求項３】
請求項１または請求項２に記載のＥＴＣ路側装置であって、
有料道路内の休憩用駐車施設に設けられたリカバリ専用エリアに設置されていることを特徴とするＥＴＣ路側装置。
【請求項４】
請求項１または請求項２に記載のＥＴＣ路側装置であって、
有料道路の本線上に設置されていることを特徴とするＥＴＣ路側装置。
【請求項５】
請求項１から請求項４のいずれかに記載のＥＴＣ路側装置であって、
車両速度を検出する車両速度検出装置を備え、
前記車載装置との間で通信を行う際に、前記車両速度検出装置で検出された前記車両速度に基づいて、送信信号および受信信号の周波数の調整を行うことを特徴とするＥＴＣ路側装置。
【請求項６】
請求項１から請求項５のいずれかに記載のＥＴＣ路側装置であって、
前記車載装置との間で送受信される無線信号のドップラー周波数を検出するドップラー周波数検出装置を備え、
前記車載装置との間で通信を行う際に、前記ドップラー周波数検出装置で検出された前記ドップラー周波数に基づいて、送信信号および受信信号の周波数の調整を行うことを特徴とするＥＴＣ路側装置。
【請求項７】
有料道路の入口に設置されて、車載装置と通信を行う第１の路側装置と、
前記車載装置と通信を行う第２の路側装置と、
前記第１の路側装置および前記第２の路側装置と通信を行う管理装置と、を備え、
前記管理装置は、
前記第１の路側装置および前記第２の路側装置と通信を行う第１の通信部と、
前記第１の路側装置から前記第１の通信部により受信する入口料金所に関する入口情報を含むリカバリ情報を車両識別情報に対応づけて記憶し、前記第２の路側装置から前記第１の通信部により受信する前記車両識別情報に対応する前記リカバリ情報を前記第１の通信部により前記第２の路側装置に送信する制御部と、を備え、
前記第２の路側装置は、
前記車載装置及び前記管理装置と通信を行う第２の通信部と、
前記車載装置からの車両識別情報を前記第２の通信部により前記管理装置に送信し、前記車両識別情報に対応した前記リカバリ情報を前記第２の通信部により前記管理装置から受信すると、前記リカバリ情報を前記第２の通信部により前記車載装置に送信する制御部と、を備えることを特徴とするＥＴＣリカバリシステム。
【請求項８】
有料道路の入口に設置され、車載装置と通信を行う第１の路側装置と、
車載装置及び撮像装置と通信を行う第２の路側装置と、
前記第１の路側装置及び前記第２の路側装置と通信を行う管理装置と、を備え、
前記管理装置は、
前記第１の路側装置および前記第２の路側装置と通信を行う前記第１の通信部と、
前記第１の路側装置から前記第１の通信部により受信する入口料金所に関する入口情報を含むリカバリ情報を車両識別情報に対応づけて記憶し、前記第２の路側装置から前記第１の通信部により受信する前記車両識別情報に対応する前記リカバリ情報を前記第１の通信部により前記第２の路側装置に送信する制御部と、を備え、
前記第２の路側装置は、
前記車載装置及び前記管理装置と通信を行う第２の通信部と、
前記撮像装置が撮像した車両の車両番号に基づく車両識別情報を前記第２の通信部により前記管理装置に送信し、前記車両識別情報に対応した前記リカバリ情報を前記第２の通信部により前記管理装置から受信すると、前記リカバリ情報を前記第２の通信部により前記車載装置に送信する制御部と、を備えることを特徴とするＥＴＣリカバリシステム。
【請求項９】
請求項７または請求項８に記載のＥＴＣリカバリシステムであって、
前記第１の路側装置に接続される有料道路の入口に設置された撮像装置を備え、
前記第１の路側装置から前記管理装置に送信される前記車両識別情報は、前記有料道路の入口に設置された撮像装置によって撮像される車両番号であることを特徴とするＥＴＣリカバリシステム。
【請求項１０】
請求項７から請求項９のいずれかに記載のＥＴＣリカバリシステムであって、
前記第１の路側装置は、リカバリが必要である旨の利用者に対する通知に関する通知情報を前記車載装置に送信することを特徴とするＥＴＣリカバリシステム。
【請求項１１】
請求項７から請求項１０のいずれかに記載のＥＴＣリカバリシステムであって、
さらに、有料道路の本線上に設置された第３の路側装置を備え、
前記第３の路側装置は、リカバリが必要である旨の利用者に対する通知に関する通知情報を前記車載装置に送信することを特徴とするＥＴＣリカバリシステム。
【請求項１２】
請求項７から請求項１１のいずれかに記載のＥＴＣリカバリシステムであって、
さらに、利用者が所持する携帯端末装置を備え、
前記管理装置は、リカバリが必要である旨の利用者に対する通知に関する通知情報を前記携帯端末装置に送信することを特徴とするＥＴＣリカバリシステム。
【請求項１３】
車載装置及び管理装置と通信を行う路側装置において、前記車載装置からの車両識別情報を管理装置に送信し、前記管理装置から受信する前記車両識別情報に対応した入口料金所に関する入口情報を含むリカバリ情報を前記車載装置に送信することを特徴とするＥＴＣリカバリ方法。
【請求項１４】
車載装置、管理装置及び撮像装置と通信を行う路側装置において、前記撮像装置が撮像した車両の車両番号に基づく車両識別情報を管理装置に送信し、前記管理装置から受信する前記車両識別情報に対応した入口料金所に関する入口情報を含むリカバリ情報を前記車載装置に送信することを特徴とするＥＴＣリカバリ方法。
【請求項１５】
第１の路側装置および第２の路側装置と通信を行う管理装置において、前記第１の路側装置から受信する入口料金所に関する入口情報を含むリカバリ情報を車両識別情報に対応づけて記憶し、第２の路側装置から受信する前記車両識別情報に対応する前記リカバリ情報を前記第２の路側装置に送信することを特徴とするＥＴＣリカバリ方法。
【請求項１６】
請求項１３から請求項１５のいずれかに記載のＥＴＣリカバリ方法をプロセッサに実行させるためのＥＴＣリカバリプログラム。
【手続補正３】
【補正対象書類名】明細書
【補正対象項目名】０００１
【補正方法】変更
【補正の内容】
【０００１】
本発明は、ＥＴＣカードが未装着の状態で入口料金所を通過した車両のリカバリを行う
ＥＴＣ路側装置、ＥＴＣリカバリシステム、ＥＴＣリカバリ方法およびＥＴＣリカバリプログラムに関するものである。
【手続補正４】
【補正対象書類名】明細書
【補正対象項目名】０００７
【補正方法】変更
【補正の内容】
【０００７】
そこで、本発明は、ＥＴＣカードが未装着の状態で車両が入口料金所を通過した場合に
、出口料金所に到達するまでに、ＥＴＣカードを正常な状態に復旧するリカバリを行うこ
とで、出口料金所を車両が停止することなく通過することができ、また、適正な課金を行
うことができるＥＴＣ路側装置、ＥＴＣリカバリシステム、ＥＴＣリカバリ方法およびＥＴＣリカバリプログラムを提供することを主な目的とする。
【手続補正５】
【補正対象書類名】明細書
【補正対象項目名】０００８
【補正方法】変更
【補正の内容】
【０００８】
本発明のＥＴＣ路側装置は、車載装置及び管理装置と通信を行う通信部と、前記車載装置から受信する車両識別情報を前記通信部により前記管理装置に送信し、前記車両識別情報に対応した入口料金所に関する入口情報を含むリカバリ情報を前記通信部により前記管理装置から受信すると、前記リカバリ情報を前記通信部により前記車載装置に送信する制御部と、を備える構成とする。
【手続補正６】
【補正対象書類名】明細書
【補正対象項目名】０００９
【補正方法】変更
【補正の内容】
【０００９】
また、本発明のＥＴＣリカバリシステムは、有料道路の入口に設置され、車載装置と通信を行う第１の路側装置と、  前記車載装置と通信を行う第２の路側装置と、前記第１の路側装置及び前記第２の路側装置と通信を行う管理装置と、を備え、前記管理装置は、前記第１の路側装置および前記第２の路側装置との間で通信を行う第１の通信部と、前記第１の路側装置から前記第１の通信部により受信する入口料金所に関する入口情報を含むリカバリ情報を車両識別情報に対応づけて記憶し、前記第２の路側装置から前記第１の通信部により受信する前記車両識別情報に対応する前記リカバリ情報を前記第１の通信部により前記第２の路側装置に送信する制御部と、を備え、前記第２の路側装置は、前記車載装置及び前記管理装置と通信を行う第２の通信部と、前記車載装置からの車両識別情報を前記第２の通信部により前記管理装置に送信し、前記車両識別情報に対応した前記リカバリ情報を前記第２の通信部により前記管理装置から受信すると、前記リカバリ情報を前記第２の通信部により前記車載装置に送信する制御部と、を備える構成とする。
【手続補正７】
【補正対象書類名】明細書
【補正対象項目名】００１０
【補正方法】変更
【補正の内容】
【００１０】
また、本発明のＥＴＣリカバリ方法は、第１の路側装置および第２の路側装置と通信を行う管理装置において、前記第１の路側装置から受信する入口料金所に関する入口情報を含むリカバリ情報を車両識別情報に対応づけて記憶し、第２の路側装置から受信する前記車両識別情報に対応する前記リカバリ情報を前記第２の路側装置に送信する、構成とする。
【手続補正８】
【補正対象書類名】明細書
【補正対象項目名】００１１
【補正方法】変更
【補正の内容】
【００１１】
また、本発明のＥＴＣリカバリプログラムは、上記ＥＴＣリカバリ方法をプロセッサに実行させるためのＥＴＣリカバリプログラムである。
【手続補正９】
【補正対象書類名】明細書
【補正対象項目名】００１４
【補正方法】変更
【補正の内容】
【００１４】
前記課題を解決するためになされた第１の発明は、車載装置及び管理装置と通信を行う通信部と、前記車載装置から受信する車両識別情報を前記通信部により前記管理装置に送信し、前記車両識別情報に対応した入口料金所に関する入口情報を含むリカバリ情報を前記通信部により前記管理装置から受信すると、前記リカバリ情報を前記通信部により前記車載装置に送信する制御部と、を備えることを特徴とするＥＴＣ路側装置とする。
【手続補正１０】
【補正対象書類名】明細書
【補正対象項目名】００１６
【補正方法】変更
【補正の内容】
【００１６】
また、第２の発明は、車載装置、管理装置および撮像装置と通信を行う通信部と、前記撮像装置が撮像した車両の車両番号に基づく車両識別情報を前記通信部により前記管理装置に送信し、前記車両識別情報に対応した入口料金所に関する入口情報を含むリカバリ情報を前記通信部により前記管理装置から受信すると、前記リカバリ情報を前記通信部により前記車載装置に送信する制御部と、を備えることを特徴とするＥＴＣ路側装置とする。
【手続補正１１】
【補正対象書類名】明細書
【補正対象項目名】００１７
【補正方法】変更
【補正の内容】
【００１７】
これによると、第１の発明と同様に、ＥＴＣカードが未装着の状態で車両が入口料金所を通過した場合に、出口料金所に到達するまでに、ＥＴＣカードを正常な状態に復旧するリカバリを行うことで、出口料金所を車両が停止することなく通過することができ、また、適正な課金を行うことができる。
【手続補正１２】
【補正対象書類名】明細書
【補正対象項目名】００１８
【補正方法】変更
【補正の内容】
【００１８】
また、第３の発明は、前記記載のＥＴＣ路側装置であって、有料道路内の休憩用駐車施設に設けられたリカバリ専用エリアに設置されている構成とする。
【手続補正１３】
【補正対象書類名】明細書
【補正対象項目名】００１９
【補正方法】変更
【補正の内容】
【００１９】
これによると、有料道路内のサービスエリアやパーキングエリアなどの休憩用駐車施設に車両を誘導することで、車両を一度停止させることができるため、運転者がＥＴＣカードを車載装置に装着することができる。
【手続補正１４】
【補正対象書類名】明細書
【補正対象項目名】００２０
【補正方法】変更
【補正の内容】
【００２０】
また、第４の発明は、前記記載のＥＴＣ路側装置であって、有料道路の本線上に設置されている構成とする。
【手続補正１５】
【補正対象書類名】明細書
【補正対象項目名】００２１
【補正方法】変更
【補正の内容】
【００２１】
これによると、助手席の搭乗者がＥＴＣカードを車載装置に装着することができる場合には、車両を停止させることなく、リカバリを行うことができる。
【手続補正１６】
【補正対象書類名】明細書
【補正対象項目名】００２２
【補正方法】変更
【補正の内容】
【００２２】
また、第５の発明は、前記記載のＥＴＣ路側装置であって、車両速度を検出する車両速度検出装置を備え、前記車載装置との間で通信を行う際に、前記車両速度検出装置で検出された前記車両速度に基づいて、送信信号および受信信号の周波数の調整を行う構成とする。
【手続補正１７】
【補正対象書類名】明細書
【補正対象項目名】００２３
【補正方法】変更
【補正の内容】
【００２３】
これによると、狭域通信による路車間通信において、ドップラーシフトに起因する無線性能の劣化を抑制することができる。
【手続補正１８】
【補正対象書類名】明細書
【補正対象項目名】００２４
【補正方法】変更
【補正の内容】
【００２４】
また、第６の発明は、前記記載のＥＴＣ路側装置であって、前記車載装置との間で送受信される無線信号のドップラー周波数を検出するドップラー周波数検出装置を備え、前記車載装置との間で通信を行う際に、前記ドップラー周波数検出装置で検出された前記ドップラー周波数に基づいて、送信信号および受信信号の周波数の調整を行う構成とする。
【手続補正１９】
【補正対象書類名】明細書
【補正対象項目名】００２５
【補正方法】変更
【補正の内容】
【００２５】
これによると、狭域通信による路車間通信において、ドップラーシフトに起因する無線性能の劣化を抑制することができる。
【手続補正２０】
【補正対象書類名】明細書
【補正対象項目名】００２６
【補正方法】変更
【補正の内容】
【００２６】
また、第７の発明は、有料道路の入口に設置され、車載装置と通信を行う第１の路側装置と、前記車載装置と通信を行う第２の路側装置と、前記第１の路側装置及び前記第２の路側装置と通信を行う管理装置と、を備え、前記管理装置は、前記第１の路側装置および前記第２の路側装置と通信を行う第１の通信部と、前記第１の路側装置から前記第１の通信部により受信する入口料金所に関する入口情報を含むリカバリ情報を車両識別情報に対応づけて記憶し、前記第２の路側装置から前記第１の通信部により受信する前記車両識別情報に対応する前記リカバリ情報を前記第１の通信部により前記第２の路側装置に送信する制御部と、を備え、前記第２の路側装置は、前記車載装置及び前記管理装置と通信を行う第２の通信部と、前記車載装置からの車両識別情報を前記第２の通信部により前記管理装置に送信し、前記車両識別情報に対応した前記リカバリ情報を前記第２の通信部により前記管理装置から受信すると、前記リカバリ情報を前記第２の通信部により前記車載装置に送信する制御部と、を備えることを特徴とするＥＴＣリカバリシステムとする。
【手続補正２１】
【補正対象書類名】明細書
【補正対象項目名】００２７
【補正方法】変更
【補正の内容】
【００２７】
これによると、第１の発明と同様に、ＥＴＣカードが未装着の状態で車両が入口料金所を通過した場合に、出口料金所に到達するまでに、ＥＴＣカードを正常な状態に復旧するリカバリを行うことで、出口料金所を車両が停止することなく通過することができ、また、適正な課金を行うことができる。
【手続補正２２】
【補正対象書類名】明細書
【補正対象項目名】００２８
【補正方法】変更
【補正の内容】
【００２８】
また、第８の発明は、有料道路の入口に設置され、車載装置と通信を行う第１の路側装置と、  車載装置及び撮像装置と通信を行う第２の路側装置と、前記第１の路側装置及び前記第２の路側装置と通信を行う管理装置と、を備え、前記管理装置は、前記第１の路側装置および前記第２の路側装置との間で通信を行う前記第１の通信部と、前記第１の路側装置から前記第１の通信部により受信する入口料金所に関する入口情報を含むリカバリ情報を車両識別情報に対応づけて記憶し、前記第２の路側装置から前記第１の通信部により受信する前記車両識別情報に対応する前記リカバリ情報を前記第１の通信部により前記第２の路側装置に送信する制御部と、を備え、前記第２の路側装置は、前記車載装置及び前記管理装置と通信を行う第２の通信部と、前記撮像装置が撮像した車両の車両番号に基づく車両識別情報を前記第２の通信部により前記管理装置に送信し、前記車両識別情報に対応した前記リカバリ情報を前記第２の通信部により前記管理装置から受信すると、前記リカバリ情報を前記第２の通信部により前記車載装置に送信する制御部と、を備えることを特徴とするＥＴＣリカバリシステムとする。
【手続補正２３】
【補正対象書類名】明細書
【補正対象項目名】００２９
【補正方法】変更
【補正の内容】
【００２９】
これによると、第１の発明と同様に、ＥＴＣカードが未装着の状態で車両が入口料金所を通過した場合に、出口料金所に到達するまでに、ＥＴＣカードを正常な状態に復旧するリカバリを行うことで、出口料金所を車両が停止することなく通過することができ、また、適正な課金を行うことができる。
【手続補正２４】
【補正対象書類名】明細書
【補正対象項目名】００３０
【補正方法】変更
【補正の内容】
【００３０】
また、第９の発明は、前記記載のＥＴＣリカバリシステムであって、前記第１の路側装置に接続される有料道路の入口に設置された撮像装置を備え、前記第１の路側装置から前記管理装置に送信される前記車両識別情報は、前記有料道路の入口に設置された撮像装置によって撮像される車両番号である構成とする。
【手続補正２５】
【補正対象書類名】明細書
【補正対象項目名】００３１
【補正方法】変更
【補正の内容】
【００３１】
これによると、管理装置において車両識別情報に基づいて車両を適切に特定することができる。
【手続補正２６】
【補正対象書類名】明細書
【補正対象項目名】００３２
【補正方法】変更
【補正の内容】
【００３２】
また、第１０の発明は、前記記載のＥＴＣリカバリシステムであって、前記第１の路側装置は、リカバリが必要である旨の利用者に対する通知に関する通知情報を前記車載装置に送信する構成とする。
【手続補正２７】
【補正対象書類名】明細書
【補正対象項目名】００３３
【補正方法】変更
【補正の内容】
【００３３】
これによると、リカバリが必要である旨の通知、例えば、ＥＴＣカードを装着してリカバリを行うことを促す通知を運転者に対して行うため、ＥＴＣカードが未装着の状態のままで出口料金所に向かうことを避けることができる。
【手続補正２８】
【補正対象書類名】明細書
【補正対象項目名】００３４
【補正方法】変更
【補正の内容】
【００３４】
この場合、リカバリが必要である旨の通知とともに、リカバリ地点、すなわち、リカバリ用の路側装置が設置されている地点を、利用者に通知するようにするとよい。また、リカバリが必要である旨の通知は、音声で出力すればよいが、カーナビゲーション装置やディスプレイ付車載装置などに画面表示するようにしてもよい。
【手続補正２９】
【補正対象書類名】明細書
【補正対象項目名】００３５
【補正方法】変更
【補正の内容】
【００３５】
また、第１１の発明は、前記記載のＥＴＣリカバリシステムであって、さらに、有料道路の本線上に設置された第３の路側装置を備え、前記第３の路側装置は、リカバリが必要である旨の利用者に対する通知に関する通知情報を前記車載装置に送信する構成とする。
【手続補正３０】
【補正対象書類名】明細書
【補正対象項目名】００３６
【補正方法】変更
【補正の内容】
【００３６】
これによると、車両が本線を走行中に、リカバリが必要である旨の通知を行うことができる。
【手続補正３１】
【補正対象書類名】明細書
【補正対象項目名】００３７
【補正方法】変更
【補正の内容】
【００３７】
また、第１２の発明は、前記記載のＥＴＣリカバリシステムであって、さらに、利用者が所持する携帯端末装置を備え、前記管理装置は、リカバリが必要である旨の利用者に対する通知に関する通知情報を前記携帯端末装置に送信する構成とする。
【手続補正３２】
【補正対象書類名】明細書
【補正対象項目名】００３８
【補正方法】変更
【補正の内容】
【００３８】
これによると、車載装置を介しないため、リカバリが必要である旨の通知を出力する機
能を車載装置に新たに付加する変更を行わずに、リカバリが必要である旨の通知を利用者
に対して行うことができる。
【手続補正３３】
【補正対象書類名】明細書
【補正対象項目名】００３９
【補正方法】変更
【補正の内容】
【００３９】
また、第１３の発明は、車載装置及び管理装置と通信を行う路側装置において、前記車載装置からの車両識別情報を管理装置に送信し、前記管理装置から受信する前記車両識別情報に対応した入口料金所に関する入口情報を含むリカバリ情報を前記車載装置に送信することを特徴とするＥＴＣリカバリ方法である。
【手続補正３４】
【補正対象書類名】明細書
【補正対象項目名】００４０
【補正方法】変更
【補正の内容】
【００４０】
これによると、第１の発明と同様に、ＥＴＣカードが未装着の状態で車両が入口料金所を通過した場合に、出口料金所に到達するまでに、ＥＴＣカードを正常な状態に復旧するリカバリを行うことで、出口料金所を車両が停止することなく通過することができ、また、適正な課金を行うことができる。
【手続補正３５】
【補正対象書類名】明細書
【補正対象項目名】００４１
【補正方法】変更
【補正の内容】
【００４１】
また、第１４の発明は、車載装置、管理装置及び撮像装置と通信を行う路側装置において、前記撮像装置が撮像した車両の車両番号に基づく車両識別情報を管理装置に送信し、前記管理装置から受信する前記車両識別情報に対応した入口料金所に関する入口情報を含むリカバリ情報を前記車載装置に送信することを特徴とするＥＴＣリカバリ方法である。
【手続補正３６】
【補正対象書類名】明細書
【補正対象項目名】００４３
【補正方法】変更
【補正の内容】
【００４３】
また、第１５の発明は、第１の路側装置および第２の路側装置と通信を行う管理装置において、前記第１の路側装置から受信する入口料金所に関する入口情報を含むリカバリ情報を車両識別情報に対応づけて記憶し、第２の路側装置から受信する前記車両識別情報に対応する前記リカバリ情報を前記第２の路側装置に送信することを特徴とするＥＴＣリカバリ方法である。
【手続補正３７】
【補正対象書類名】明細書
【補正対象項目名】００４５
【補正方法】変更
【補正の内容】
【００４５】
また、第１６の発明は、前記記載のＥＴＣリカバリ方法をプロセッサに実行させるためのＥＴＣリカバリプログラムである。
【手続補正３８】
【補正対象書類名】明細書
【補正対象項目名】００４７
【補正方法】削除
【補正の内容】
【手続補正３９】
【補正対象書類名】明細書
【補正対象項目名】００４８
【補正方法】削除
【補正の内容】
【手続補正４０】
【補正対象書類名】明細書
【補正対象項目名】００４９
【補正方法】削除
【補正の内容】
【手続補正４１】
【補正対象書類名】明細書
【補正対象項目名】００５０
【補正方法】削除
【補正の内容】
【手続補正４２】
【補正対象書類名】明細書
【補正対象項目名】００５１
【補正方法】削除
【補正の内容】
【手続補正４３】
【補正対象書類名】明細書
【補正対象項目名】００５２
【補正方法】削除
【補正の内容】
【手続補正４４】
【補正対象書類名】明細書
【補正対象項目名】００５３
【補正方法】削除
【補正の内容】
【手続補正４５】
【補正対象書類名】明細書
【補正対象項目名】００５４
【補正方法】削除
【補正の内容】